(57)【要約】【課題】同一の装置で光軸方向の長さおよび／または光軸と直角方向の大きさが異なるキセノンランプを用いることのできる光源装置を提供すること。【解決手段】反射鏡３、４と、キセノンランプ２の一方の口金２４を支持する第１のランプ支持体５と、キセノンランプ２の他方の口金２５を支持する第２のランプ支持体６と、反射鏡３、４と第１のランプ支持体５と第２のランプ支持体６を支持する支持板７とからなる光源装置において、第１のランプ支持体５は、ランプ支持部５１と支持板７に支持されランプ支持部５１を支持する支持台５２とを備え、ランプ支持部５１は光軸方向の２位置に位置可変可能な位置可変手段を備えていることを特徴とする光源装置である。【選択図】図１
2008305630.tif 000002
【特許請求の範囲】
【請求項１】
反射鏡と、キセノンランプの一方の口金を支持する第１のランプ支持体と、前記キセノンランプの他方の口金を支持する第２のランプ支持体と、前記反射鏡と前記第１のランプ支持体と前記第２のランプ支持体を支持する支持板と、からなる光源装置において、
前記第１のランプ支持体は、ランプ支持部と前記支持板に支持され前記ランプ支持部を支持する支持台とを備え、前記ランプ支持部は、光軸方向の２位置に位置可変可能な位置可変手段を備えていることを特徴とする光源装置。
【請求項２】
前記ランプ支持部は、ランプ載置部と、該ランプ載置部を支持し光軸方向に屈曲する軸部と、該軸部を支持し前記支持台に支持される位置決め台とを備え、前記位置可変手段は、前記位置決め台の光軸方向の向きを１８０°回転させて前記支持台に支持させることであることを特徴とする請求項１に記載の光源装置。
【請求項３】
前記ランプ支持部は、ランプ載置部と、該ランプ載置部を支持する軸部と、該軸部を光軸方向に偏って支持し前記支持台に支持される位置決め台とを備え、前記位置可変手段は、前記位置決め台の光軸方向の向きを１８０°回転させて前記支持台に支持させることであることを特徴とする請求項１に記載の光源装置。
【請求項４】
前記ランプ支持部は、ランプ載置部と、該ランプ載置部を支持し光軸方向に屈曲すると共に平坦部または突部を備える軸部とを備え、前記支持台は、前記平坦部または前記突部を有する前記軸部に嵌合する穴部を備え、前記位置可変手段は、前記軸部の光軸方向の向きを１８０°回転させて前記支持台に支持させることであることを特徴とする請求項１に記載の光源装置。
【請求項５】
前記ランプ支持部は、光軸に対する垂直方向に各々が反対方向を向いて配置される２つのランプ載置部と、該２つのランプ載置部を支持する軸部とを備え、前記支持台は、前記軸部を当接させ回転を制限するストッパ台と前記軸部を光軸に垂直な面において回転可能に支持するヒンジとを備え、前記位置可変手段は、前記軸部を前記ヒンジを中心に回転させ光軸方向の向きを変えることであることを特徴とする請求項１に記載の光源装置。  
【請求項６】
前記ランプ支持部は、光軸に対する垂直方向に各々が同方向を向いて光軸方向に離間して配置される２つのランプ載置部と、該２つランプ載置部を支持する軸部と、該軸部を支持し前記支持台に支持される位置決め台とを備え、前記位置可変手段は、前記位置決め台の光軸方向の向きを１８０°回転させて前記支持台に支持させることであることを特徴とする請求項１に記載の光源装置。    
【請求項７】
前記２つのランプ載置部は、各々のキセノンランプを載置する開口角度が異なっていることを特徴とする請求項５または請求項６に記載の光源装置。
【請求項８】
前記支持台は、前記ランプ支持部を当接させ回転を制限するストッパ台と前記ランプ支持部をランプ光軸に垂直な面において回転可能に支持するヒンジとを備え、前記位置可変手段は、前記ランプ支持部を前記ヒンジを中心に回転させ光軸方向の向きを変えることであることを特徴とする請求項１に記載の光源装置。
【発明の詳細な説明】
【技術分野】
【０００１】
本発明は、光源装置に係わり、特に、プロジェクタや映写機の光源に用いられる光源装置に関する。
【背景技術】
【０００２】
特許文献１には、プロジェクタや映写機の光源としてキセノンランプを用いた光源装置が開示されている。図１３は、特許文献１に示されるような従来技術に係るショートアーク型のキセノンランプ１０１を用いた光源装置１００の一部断面正面図である。
同図において、ショートアーク型キセノンランプ１０１の球状のバルブ１１１の内部には、ランプ点灯時におけるガス圧が２〜８ＭＰａになるようにキセノンガスが封入され、一対の電極１１２が対向配置されている。バルブ１１１の両端には電極１１２を埋設する一対の封止部１１３が設けられ、各々の封止部１１３には口金１１４、１１５が設けられている。一対の電極１１２は図示しない電源に接続され、２〜７ｋＷの定格点灯電力が入力されてキセノンランプ１０１を点灯する。キセノンランプ１０１の点灯時、一対の対向する電極１１２間の距離が短い（近接している）ため、電極１１２間はアーク径が小さい点光源となる。
【０００３】
キセノンランプ１０１の両端に配置される一対の口金１１４、１１５の内、一方の口金１１４を第１のランプ支持体１０２で支持し、他方の口金１１５を第２のランプ支持体１０３で支持している。一方の口金１１４と他方の口金１１５との間にキセノンランプ１０１のバルブ１１１を囲むように反射鏡１０４、１０５が配置されている。反射鏡１０４、１０５は、その焦点とキセノンランプ１０１の焦点（点光源）とが一致するように設けられている。第１のランプ支持体１０２と第２のランプ支持体１０３と反射鏡１０４、１０５とは１つの支持板１０６上に支持されている。支持板１０６は図示しないプロジェクタに設置される。なお、同図において、キセノンランプ１０１の一対の電極１１２の中心軸をＸ軸方向とし、電極１１２の中心軸に対して垂直方向で、キセノンランプ１０１を支持する第１のランプ支持体１０２の伸びる方向をＹ軸方向とし、Ｘ軸方向およびＹ軸方向に対してそれぞれ垂直な方向をＺ軸方向とする。
【特許文献１】特開２００１−３１９５０２
【発明の開示】
【発明が解決しようとする課題】
【０００４】
しかし、上記の従来技術に係る光源装置は、光軸方向の長さおよび／または光軸と直角方向の大きさが異なるキセノンランプを１つの光源装置で用いることができない。また、長さや光軸方向の大きさが異なるキセノンランプを用いた場合、反射鏡の焦点とキセノンランプの焦点がずれないようにするための位置決め補償が必要である。
本発明の目的は、上記の問題点に鑑み、同一の装置で光軸方向の長さおよび／または光軸と直角方向の大きさが異なるキセノンランプを用いることのできる光源装置を提供することにある。
【課題を解決するための手段】
【０００５】
本発明は、上記の課題を解決するために、次のような手段を採用した。
第１の手段は、反射鏡と、キセノンランプの一方の口金を支持する第１のランプ支持体と、前記キセノンランプの他方の口金を支持する第２のランプ支持体と、前記反射鏡と前記第１のランプ支持体と前記第２のランプ支持体を支持する支持板と、からなる光源装置において、前記第１のランプ支持体は、ランプ支持部と前記支持板に支持され前記ランプ支持部を支持する支持台とを備え、前記ランプ支持部は、光軸方向の２位置に位置可変可能な位置可変手段を備えていることを特徴とする光源装置である。
第２の手段は、第１の手段において、前記ランプ支持部は、ランプ載置部と、該ランプ載置部を支持し光軸方向に屈曲する軸部と、該軸部を支持し前記支持台に支持される位置決め台とを備え、前記位置可変手段は、前記位置決め台の光軸方向の向きを１８０°回転させて前記支持台に支持させることであることを特徴とする光源装置である。
第３の手段は、第１の手段において、前記ランプ支持部は、ランプ載置部と、該ランプ載置部を支持する軸部と、該軸部を光軸方向に偏って支持し前記支持台に支持される位置決め台とを備え、前記位置可変手段は、前記位置決め台の光軸方向の向きを１８０°回転させて前記支持台に支持させることであることを特徴とする光源装置である。
第４の手段は、第１の手段において、前記ランプ支持部は、ランプ載置部と、該ランプ載置部を支持し光軸方向に屈曲すると共に平坦部または突部を備える軸部とを備え、前記支持台は、前記平坦部または前記突部を有する前記軸部に嵌合する穴部を備え、前記位置可変手段は、前記軸部の光軸方向の向きを１８０°回転させて前記支持台に支持させることであることを特徴とする光源装置である。
第５の手段は、第１の手段において、前記ランプ支持部は、光軸に対する垂直方向に各々が反対方向を向いて配置される２つのランプ載置部と、該２つのランプ載置部を支持する軸部とを備え、前記支持台は、前記軸部を当接させ回転を制限するストッパ台と前記軸部を光軸に垂直な面において回転可能に支持するヒンジとを備え、前記位置可変手段は、前記軸部を前記ヒンジを中心に回転させ光軸方向の向きを変えることであることを特徴とする光源装置である。  
第６の手段は、第１の手段において、前記ランプ支持部は、光軸に対する垂直方向に各々が同方向を向いて光軸方向に離間して配置される２つのランプ載置部と、該２つランプ載置部を支持する軸部と、該軸部を支持し前記支持台に支持される位置決め台とを備え、前記位置可変手段は、前記位置決め台の光軸方向の向きを１８０°回転させて前記支持台に支持させることであることを特徴とする光源装置である。    
第７の手段は、第５の手段または第６の手段において、前記２つのランプ載置部は、各々のキセノンランプを載置する開口角度が異なっていることを特徴とする光源装置である。
第８の手段は、第１の手段において、前記支持台は、前記ランプ支持部を当接させ回転を制限するストッパ台と前記ランプ支持部をランプ光軸に垂直な面において回転可能に支持するヒンジとを備え、前記位置可変手段は、前記ランプ支持部を前記ヒンジを中心に回転させ光軸方向の向きを変えることであることを特徴とする光源装置である。
【発明の効果】
【０００６】
請求項１に記載の発明によれば、ランプ支持部は、光軸方向の２位置に位置可変可能な位置可変手段を備えているので、長さの異なるキセノンランプの支持が可能となる。
請求項２に記載の発明によれば、ランプ支持部の軸部は光軸方向に屈曲しているので、ランプ支持部の位置決め台の光軸方向の向きを１８０°回転させることによって、軸部の先端部に設けられたランプ載置部を光軸方向にずれた位置に配置することができ、長さの異なるキセノンランプの支持が可能となる。
請求項３に記載の発明によれば、ランプ支持部の位置決め台は光軸方向に偏って軸部を支持しているので、位置決め台の光軸方向の向きを１８０°回転させることによって、軸部の先端部に設けられたランプ載置部を光軸方向にずれた位置に配置することができ、長さの異なるキセノンランプの支持が可能となる。
請求項４に記載の発明によれば、ランプ支持部の軸部は光軸方向に屈曲しているので、軸部の光軸方向の向きを１８０°回転させて支持台に支持させることによって、軸部の先端部に設けられたランプ載置部を光軸方向にずれた位置に配置することができ、長さの異なるキセノンランプの支持が可能となる。
請求項５に記載の発明によれば、ランプ支持部の軸部を光軸に垂直な面において回転させることによってランプ支持部を光軸方向において反対方向に向けて配置することによって、回転前の一方のランプ載置部に対して回転後の他方のランプ載置部を光軸方向にずれた位置に配置することができ、長さの異なるキセノンランプ２の支持が可能となる。
請求項６に記載の発明によれば、２つのランプ載置部が光軸方向に離間して配置されているので、ランプ支持部の位置決め台の光軸方向の向きを１８０°回転させることによって、回転前の一方のランプ載置部に対して回転後の他方のランプ載置部を光軸方向にずれた位置に配置することができ、長さの異なるキセノンランプ２の支持が可能となる。
請求項７に記載の発明によれば、短いキセノンランプを支持する一方のランプ載置部の開口角度を長いキセノンランプを支持する他方のランプ載置部の開口角度より小さくすることによって、反射鏡の焦点に対するキセノンランプの焦点の光軸に対する垂直方向のずれを防止することができる。
請求項８に記載の発明によれば、傾斜して配置されているランプ支持部を光軸に対する水平軸の周りに回転させることによって、ランプ支持部が前記傾斜とは反対方向に傾斜され光軸方向にずれた位置に配置することができ、長さの異なるキセノンランプの支持が可能となる。
【発明を実施するための最良の形態】
【０００７】
本発明の光源装置１に用いられる第１の実施形態に係る第１のランプ支持体５を図１から図３を用いて説明する。
図１は、本実施形態の発明に係る第１のランプ支持体５を備える光源装置１の構成を示す一部断面正面図である。
同図において、１は光源装置、２はショートアーク型のキセノンランプ、２１はキセノンランプ２の球状のバルブ、２２はバルブ２１内に配置される一対の電極、２３は一対の封止部、２４、２５は各封止部２３に設けられるキセノンランプ２の口金、３、４は、一方の口金２４と他方の口金２５との間にキセノンランプ２のバルブ２１を囲むように配置される反射鏡、５は一方の口金２４を支持する第１のランプ支持体、６は他方の口金２５を支持する第２のランプ支持体、６１は光軸方向の長さが異なるキセノンランプ２に対応して光軸方向に移動可能なランプ支持部、６２はランプ支持部６１を支持し支持板７に固定される支持台、７は反射鏡３、４と第１のランプ支持体５と第２のランプ支持体６を支持する支持板である。
【０００８】
キセノンランプ２の球状のバルブ２１の内部には、ランプ点灯時におけるガス圧が２〜８ＭＰａになるようにキセノンガスが封入され、一対の電極２２が対向配置されている。バルブ２１の両端には電極２２を埋設する一対の封止部２３が設けられ、各々の封止部２３には口金２４、２５が設けられている。一対の電極２２は図示しない電源に接続され、２〜７ｋＷの定格点灯電力が入力されてキセノンランプ２を点灯する。キセノンランプ２の点灯時、対向する電極２２間の距離は短い（近接している）ため、電極２２間はアーク径が小さい点光源となる。なお、同図に示すように、キセノンランプ２の一対の電極２２の中心軸方向（光軸方向）をＸ軸方向とし、電極２２の中心軸方向（光軸方向）に対して垂直方向で、キセノンランプ２を支持する第１のランプ支持体５が伸びる方向をＹ軸方向とし、Ｘ軸方向およびＹ軸方向それぞれに垂直な方向をＺ軸方向とする。
【０００９】
図１に示すように、キセノンランプ２の両端に配置される一対の口金２４、２５の内、一方の口金２４を第１のランプ支持体５で支持し、他方の口金２５を第２のランプ支持体６で支持している。一方の口金２４と他方の口金２５との間にキセノンランプ２のバルブ２１を囲むように反射鏡３、４が配置されている。反射鏡３、４は、その焦点とキセノンランプ２の焦点（点光源）とが一致するように設けられている。第１のランプ支持体５と第２のランプ支持体６と反射鏡３、４とは１つの支持板７上に支持され、支持板７は図示しないプロジェクタに設置される。
【００１０】
図２は図１に示した本実施形態の発明に係る第１のランプ支持体５の拡大図であり、図２（ａ）は第１のランプ支持体５の斜視図、図２（ｂ）は図２（ａ）に示す第１のランプ支持体５のランプ支持部５１をＹ軸の周りに１８０°回転させて支持台５２に支持させ第１のランプ支持体５の斜視図である。
これらの図において、５１はランプ支持部、５１１はキセノンランプ２の一方の口金２４を載置するＶ字状に形成されたランプ載置部、５１２はランプ載置部５１１を支持し光軸方向に屈曲する軸部、５１３は軸部５１２を支持し支持台５２に支持される位置決め台、５１３１は位置決め台５１３のＸ軸方向の一端からＹ軸方向に突出する突部、５２は位置決め台５１３を支持し支持板７に支持される支持台、５２１は支持台５２のＹ軸およびＺ軸に平行な第１の面、５２２は支持台５２のＹ軸およびＺ軸に平行な第２の面、５３は位置決め台５１３と支持台５２を固定する固定手段である。
【００１１】
図２（ａ）示すように、第１のランプ支持体５はランプ支持部５１と支持台５２とから構成され、ランプ支持部５１はランプ載置部５１１と軸部５１２と位置決め台５１３とから構成されている。位置決め台５１３は略Ｌ字状に形成されており、支持台５２に係合する突部５１３１を有しており、位置決め台５１３を支持台５２に載置し、位置決め台５１３の突部５１３１と支持台５２の第１の面５２１とを当接させ、固定手段５３によって位置決め台５１３を支持台５２に固定する。位置決め台５１３からＹ軸方向に伸びる軸部５１２はその先端部にランプ載置部５１１が設けられ、軸部５１２は先端部に設けられるランプ載置部５１１をＸ軸方向にずらすように屈曲している。
【００１２】
図２（ａ）に示す状態によって、ランプ載置部５１１は光軸方向の第１の位置に配置される。ランプ載置部５１１の光軸方向の位置を変えるときは、固定手段５３を取り外し、ランプ支持部５１の軸部５１２を支持する位置決め台５１３をＹ軸の周りに１８０°回転させ、図２（ｂ）に示すように、位置決め台５１３の突部５１３１を支持台５２の第２の面５２２に係合するように配置し、固定手段５３によって位置決め台５１３を支持台５２に固定することによって、ランプ載置部５１１は光軸方向の第２の位置に配置される。つまり、軸部５１２はＸ軸方向に屈曲しているので、軸部５１２を支持する位置決め台５１３をＹ軸の周りに１８０°回転させることによって、軸部５１２の先端部に設けられるランプ載置部５１１は、Ｘ軸方向にずれた位置に配置される。
【００１３】
図３は、図２（ｂ）に示すように、第１のランプ支持体５のランプ支持部５１を支持台５２に対してＹ軸の周りに１８０°回転させたときの光源装置１の構成を示す一部断面正面図である。
同図に示すように、図１に示したキセノンランプ２より光軸方向（Ｘ軸方向）における長さが短いキセノンランプ２を用いることができる。この際、第２のランプ支持体６のＸ軸方向に調整可能なランプ支持部６１はＸ軸上で第１のランプ支持体５側に移動される。
光軸方向の長さが短いキセノンランプ２を光源装置１に取り付けるときは、まず、図２（ａ）に示す状態から図２（ｂ）に示すような状態に配置する。配置後、図３に示すように、第２のランプ支持体６のランプ支持部６１にキセノンランプ２の他方の口金２５を支持固定し、ランプ支持部６１をＸ軸上で第１のランプ支持体５側に、キセノンランプ２と反射鏡３、４との焦点が一致するように移動させる。移動後、キセノンランプ２の口金２４を第１のランプ支持体６のランプ載置部５１１に載置する。
【００１４】
本実施形態の光源装置１によれば、光軸方向の長いキセノンランプ２に代えて光軸方向の短いキセノンランプを用いるときは、第１のランプ支持体５のランプ載置部５１１をＸ軸方向の第１の位置から第２のランプ支持体６側の第２の位置に移動させ、また、第２のランプ支持体６のランプ支持部６１をＸ軸方向の第１のランプ支持体５側に移動させてキセノンランプ２を光源装置１の取り付けるので、長さの異なるキセノンランプ２を用いてもキセノンランプ２の焦点位置を移動させることが無く、反射鏡３、４とキセノンランプ２との焦点を容易に一致させることができる。
【００１５】
本発明の光源装置１に用いられる第２の実施形態に係る第１のランプ支持体５を図４を用いて説明する。
図４（ａ）、（ｂ）は、本実施形態の発明に係る第１のランプ支持体５のランプ載置部の拡大図である。これらの図において、５１１１は軸部５１２に設けられるＵ字状に形成されたランプ載置部、５１１２は軸部５１２に設けられるコ字状に形成されたランプ載置部である。その他の構成は図２に示した同符号の構成に対応する。
本実施形態のランプ載置部は、図４（ａ）に示すようにＵ字状に形成されたランプ載置部５１１１、または図４（ｂ）に示すようにコ字状に形成されたランプ載置部５１１２に示すように、第１の実施形態の図２に示したＶ字状のランプ載置部５１１の形状に限定されるものではなく、ランプ載置部がキセノンランプ２の一方の口金２４を２点で支持できる構造であれば問題はない。
【００１６】
次に、本発明の光源装置１に用いられる第３の実施形態に係る第１のランプ支持体５を図５を用いて説明する。
図５（ａ）は本実施形態の発明に係る第１のランプ支持体５の斜視図、図５（ｂ）は図５（ａ）に示した第１のランプ支持体５のランプ支持部５１をＹ軸の周りに１８０°回転させて支持台５２に支持させた第１のランプ支持体５の斜視図である。
これらの図において、５１４はランプ載置部５１１を支持する軸部、５１５は軸部５１４を光軸方向に偏って支持し支持台５２に支持される位置決め台である。なお、その他の構成は図２に示した同符号の構成に対応するので説明を省略する。
【００１７】
本実施形態の第１のランプ支持体５では、図５（ａ）に示すように、軸部５１４は位置決め台５１５上で光軸方向に偏って（例えば、位置決め台５１５の突部５１３１に近い位置）支持され、ランプ支持部５１の位置決め台５１５の突部５１３１が支持台５２の第１の面５２１に係合され、固定手段５３によって位置決め台５１５が支持台５２に固定されている。これによって、ランプ載置部５１１は光軸方向の第１の位置に配置される。ランプ載置部５１１の光軸方向の位置を変えるときは、図５（ａ）において、固定手段５３を取り外し、位置決め台５１５をＹ軸の周りに１８０°回転させ、位置決め台５１５の突部５１３１を支持台５２の第２の面５２２に係合するように配置し、固定手段５３によって位置決め台５１５を支持台５２に固定すると、図５（ｂ）に示すように、ランプ載置部５１１は光軸方向の第２の位置に配置される。つまり、光軸方向に偏って軸部５１４を支持する位置決め台５１５をＹ軸の周りに１８０°回転させたことによって、軸部５１４の先端部に設けられているランプ載置部５１１は、Ｘ軸方向にずれた位置に配置され、長さの異なるキセノンランプ２の支持が可能となる。
【００１８】
次に、本発明の光源装置１に用いられる第４の実施形態に係る第１のランプ支持体５を図６を用いて説明する。
図６（ａ）はランプ支持部５１を支持台５２から引き抜いた状態の本実施形態の発明に係る第１のランプ支持体５の斜視図、図６（ｂ）は図６（ａ）に示したランプ支持部５１をＹ軸の周りに１８０°回転させた状態の第１のランプ支持体５の斜視図である。
これらの図において、５１２１はランプ支持部５１の軸部５１２の下端部のＺ軸方向の両面に設けられた平坦部、５２３は支持台５２の上面に設けられる軸部５１２を挿入する穴部、５２４は支持台５２の側面に設けられる止具用穴部、５２５は止具である。なお、その他の構成は図２に示した同符号の構成に対応するので説明を省略する。
【００１９】
本実施形態の第１のランプ支持体５によれば、図６（ａ）に示すように、平坦部５１２１を有する軸部５１２の先端部を支持台５２の穴部５２３に挿入し、止具用穴部５２４から止具５２５を挿入して平坦部５１２１に係合させて抜けを防止し、ランプ支持部５１を支持台５２に支持固定する。これによって、ランプ載置部５１１は光軸方向の第１の位置に配置される。ランプ載置部５１１の光軸方向の位置を変えるときは、図６（ａ）に示すランプ支持部５１をＹ軸の周りに１８０°回転させて、ランプ支持部５１を図６（ｂ）に示すように配置し、その後、軸部５１２の先端部を支持台５２の穴部５２３に挿入し、止具用穴部５２４から止具５２５を挿入して平坦部５１２１に係合させて抜けを防止し、ランプ支持部５１を支持台５２に支持固定する。これによって、ランプ載置部５１１は光軸方向の第２の位置に配置される。つまり、ランプ支持部５１の軸部５１２は光軸方向に屈曲しているので、ランプ支持部５１をＹ軸の周りに１８０°回転させることによって、軸部５１２の先端部に設けられたランプ載置部５１１はＸ軸方向にずれた位置に配置され、長さの異なるキセノンランプ２の支持が可能となる。
【００２０】
次に、本発明の光源装置１に用いられる第５の実施形態に係る第１のランプ支持体５を図７を用いて説明する。
図７（ａ）はランプ支持部５１を支持台５２から引き抜いた状態の本実施形態の発明に係る第１のランプ支持体５の斜視図、図７（ｂ）は図７（ａ）に示したランプ支持部５１をＹ軸の周りに１８０°回転させた状態の第１のランプ支持体５の斜視図、図７（ｃ）はランプ支持部５１を支持台５２から引き抜いた状態の本実施形態の発明に係る第１のランプ支持体５の斜視図、図７（ｄ）は図７（ｃ）に示したランプ支持部５１をＹ軸の周りに１８０°回転させた状態の第１のランプ支持体５の斜視図である。
これらの図において、５１２２はランプ支持部５１の軸部５１２の下端部のＸ軸方向の一面に設けられる突部、５１２３はランプ支持部５１の軸部５１２の下端部のＺ軸方向の両面に設けられる突部、５２６は支持台５２の上面に設けられる突部５１２２を有する軸部５１２の下端部がＹ軸の周りの２位置でのみ挿入可能な穴部、５２７は支持台５２の上面に設けられる突部５１２３を有する軸部５１２の下端部がＹ軸の周りの２位置でのみ挿入可能な穴部である。なお、その他の構成は図２に示した同符号の構成に対応するので説明を省略する。                        
【００２１】
本実施形態の第１のランプ支持体５によれば、図７（ａ）に示すように、軸部５１２の突部５１２２を有する下端部を支持台５２の穴部５２６に挿入することによって、ランプ載置部５１１は光軸方向の第１の位置に配置される。ランプ載置部５１１の光軸方向の位置を変えるときは、図７（ａ）に示すランプ支持部５１をＹ軸の周りに１８０°回転させて、図７（ｂ）に示すようにランプ支持部５１を配置する。その後、軸部５１２の突部５１２２を有する下端部を支持台５２の穴部５２６に挿入することによって、ランプ載置部５１１は管軸方向の第２の位置に配置される。同様に、図７（ｃ）に示すように、軸部５１２の突部５１２３を有する下端部を支持台５２の穴部５２７に挿入することによって、ランプ載置部５１１は管軸方向の第１の位置に配置される。ランプ支持部５１の光軸方向の位置を変えるときは、図７（ｃ）に示すランプ支持部５１をＹ軸の周りに１８０°回転させて、図７（ｄ）に示すようにランプ支持部５１を配置する。その後、軸部５１２の突部５１２３を有する下端部を支持台５２の穴部５２７に挿入することによって、ランプ載置部５１１は光軸方向の第２の位置に配置される。つまり、ランプ支持部５１の軸部５１２は光軸方向に屈曲しているので、ランプ支持部５１をＹ軸の周りに１８０°回転させることによって、軸部５１２の先端部に設けられたランプ載置部５１１はＸ軸方向にずれた位置に配置され、長さの異なるキセノンランプ２の支持が可能となる。
【００２２】
次に、本発明の光源装置１に用いられる第６の実施形態に係る第１のランプ支持体５を図８を用いて説明する。
図８（ａ）は本実施形態の発明に係る第１のランプ支持体５の斜視図、図８（ｂ）は図８（ａ）に示したランプ支持部５１をＺ軸の周りに１８０°回転させた状態の第１のランプ支持体５の斜視図である。
これらの図において、５１６は略Ｔ字状に形成され、水平軸部５１６１の一端が支持台５２のストッパ台５２８においてヒンジ５４によって回転自在に支持され、他端は垂直軸部５１６２の略中間部に連なり、垂直軸部５１６２の両端に各々ランプ載置部５１１が設けられる軸部、５１６１は軸部５１６の水平軸部、５１６２は軸部５１６の垂直軸部、５２８は支持台５２の上部に設けられるストッパ台、５４は軸部５１６を支持台５２に対してＺ軸の周りに回転可能に支持するヒンジである。なお、静止状態では軸部５１６の水平軸部５１６１はストッパ台５２８上面に当接して回転が制限される。また、その他の構成は図２に示した同符号の構成に対応するので説明を省略する。
【００２３】
本実施形態の第１のランプ支持体５によれば、図８（ａ）に示すように、軸部５１６の水平軸部５１６１が支持台５２のストッパ台５２８上面に当接して支持されるので、垂直軸部５１６２の先端部に設けられる一方のランプ載置部５１１はＸ軸方向の第１の位置に配置される。ランプ載置部５１１のＸ軸方向の位置を変えるときは、図８（ａ）において、ランプ支持部５１をヒンジ５４を中心にＺ軸の周りに１８０°回転させて、図８（ｂ）に示すようにランプ支持部５１を配置する。これによって、軸部５１６は水平軸部５１６１が再び支持台５２のストッパ台５２８上面に当接されるので、垂直軸部５１６２の先端部に設けられる他方のランプ載置部５１１はＸ軸方向の第２の位置に配置される。つまり、ランプ支持部５１の軸部５１６はＸ軸方向に伸びる水平軸部５１６１を備えているので、ランプ支持部５１をＺ軸の周りに１８０°回転させることによって、水平軸部５１６１がＸ軸方向において反対方向を向き、水平軸部５１６１の先端部に設けられた回転後の他方のランプ載置部５１１は回転前の一方のランプ載置部に比べてＸ軸方向にずれた位置に配置され、長さの異なるキセノンランプ２の支持が可能となる。
【００２４】
次に、本発明の光源装置１に用いられる第７の実施形態に係る第１のランプ支持体５を図９を用いて説明する。
図９（ａ）は本実施形態の発明に係る第１のランプ支持体５の斜視図、図９（ｂ）は図９（ａ）に示したランプ支持部５１をＺ軸の周りに１８０°回転させた状態の第１のランプ支持体５の斜視図である。
これらの図において、５１１３は垂直軸部５１６２の一方の先端部に設けられるＶ字状のＶ字部の開口角度がＲ１である第１のランプ載置部、５１１４は垂直軸部５１６２の他方の先端部に設けられるＶ字状のＶ字部の開口角度がＲ２である第２のランプ載置部である。なお、その他の構成は図２および図８に示した同符号の構成に対応するので説明を省略する。
【００２５】
本実施形態の第１のランプ支持体５によれば、図９（ａ）に示すように、軸部５１６の水平軸部５１６１がストッパ台５２８の上面に当接されるので、垂直軸部５１６２の先端部に設けられる第１のランプ載置部５１１３はＸ軸方向の第１の位置に配置される。ランプ載置部のＸ軸方向の位置を変えるときは、図９（ａ）において、ランプ支持部５１をヒンジ５４を中心にＺ軸の周りに１８０°回転させて、ランプ支持部５１を図９（ｂ）に示すように配置する。これによって、軸部５１６は水平軸部５１６１が再びストッパ台５２８の上面に当接されるので、垂直軸部５１６２の先端部に設けられる第２のランプ載置部５１１４はＸ軸方向の第２の位置に配置される。つまり、ランプ支持部５１の軸部５１６はＸ軸方向に伸びる水平軸部５１６１を備えているので、ランプ支持部５１をＺ軸の周りに１８０°回転させることによって、水平軸部５１６１がＸ軸方向において反対方向を向き、水平軸部５１６１の先端部に設けられた回転後の第２のランプ載置部５１１４が回転前の第１のランプ載置部５１１３に対してＸ軸方向にずれた位置に配置され、長さの異なるキセノンランプ２の支持が可能となる。
【００２６】
また、本実施形態の第１のランプ支持体５によれば、キセノンランプ２は、光軸方向の長さが短くなると、口金２４、２５の直径が小さくなることがあるが、短いキセノンランプ２を支持する第２のランプ載置部５１１４のＶ字部の開口角度Ｒ２を第１のランプ載置部５１１３のＶ字部の開口角度Ｒ１より小さくすることによって、図１に示した光源装置１の反射鏡３、４の焦点に対して、キセノンランプ２の焦点がＹ軸方向にずれるのを防止することができる。
【００２７】
次に、本発明の光源装置１に用いられる第８の実施形態に係る第１のランプ支持体５を図１０を用いて説明する。
図１０（ａ）は本実施形態の発明に係る第１のランプ支持体５の側面図、図１０（ｂ）は図１０（ａ）に示した第１のランプ支持体５の正面図、図１０（ｃ）は図１０（ａ）に示したランプ支持部５１をＺ軸の周りに１８０°回転させたときの第１のランプ支持体５の側面図、図１０（ｄ）は図１０（ｃ）に示した第１のランプ支持体５の正面図である。
これらの図において、５１１５は水平軸部５１７１と垂直軸部５１７２の折れ曲がり部にＹ軸方向に伸びるＶ字状のＶ字部の開口角度がＲ３である第１のランプ載置部、５１１６は垂直軸部５１７２の先端部に設けられるＶ字状のＶ字部の開口角度がＲ４である第２のランプ載置部、５１７はＬ字状に形成され、Ｘ軸方向に伸びる水平軸部５１７１とＹ軸方向に伸びる垂直軸部５１７２を有する軸部、５１７１は一端が支持台５２のストッパ台５２８においてヒンジ５４によって回転自在に支持され、他端が略直角方向（Ｙ軸方向）に折れ曲がる垂直軸部５１７２に連なる水平軸部、５１７２は一端が水平軸部５１７１に連なり、他端にＹ軸方向に伸びる第２のランプ載置５１１６が設けられる垂直軸部である。ここで、距離ａは、垂直軸部５１７１の中心軸と第１のランプ載置部５１１５に載置される口金２４１の中心軸間の距離であり、距離ｂは、水平軸部５１７１の中心軸と第２のランプ載置部５１１６に載置される口金２４１と直径が異なる口金２４２の中心軸間の距離であり、距離ａと距離ｂは同一になるようにする。なお、その他の構成は図２および図９に示した同符号の構成に対応するので説明を省略する。
【００２８】
本実施形態の第１のランプ支持体５によれば、図１０（ａ）、（ｂ）に示すように、軸部５１７の水平軸部５１７１がストッパ台５２３の上面に当接され、水平軸部５１７１の他端からＹ軸方向に設けられたＶ字部の開口角度がＲ３の第１のランプ載置部５１１５によってキセノンランプ２の一方の口金２４１を載置することができ、第１のランプ載置部５１１５はＸ軸方向の第１の位置に配置される。ランプ載置部のＸ軸方向の位置を変えるときは、図１０（ａ）、（ｂ）において、軸部５１７をヒンジ５４を中心にＺ軸の周りに１８０°回転させて、ランプ支持部５１を図１０（ｃ）、（ｄ）に示すように配置する。これによって、軸部５１７の水平軸部５１７１が再びストッパ台５２８の上面に当接され、第２のランプ載置部５１１６はＸ軸方向の第２の位置に配置されると共に、垂直軸部５１７２の先端部に設けられたＶ字部の開口角度がＲ４の第２のランプ載置部５１１６に口金２４１と直径が異なる口金２４２を載置することができる。つまり、ランプ支持部５１の軸部５１７はＸ軸方向に伸びる水平軸部５１７１を有しているので、ランプ支持部５１をＺ軸の周りに１８０°回転させることによって、水平軸部５１７１がＸ軸方向において反対方向に向けられ、回転前の第１のランプ載置部５１１５に対して回転後の第２のランプ載置部５１１６はＸ軸方向にずれた位置に配置され、長さの異なるキセノンランプ２の支持が可能となる。さらに、距離ａと距離ｂとを同一とすることにより、口金２４の管径が異なるキセノンランプ２を用いても、キセノンランプ２のＹ軸方向のずれを防止することができる。
【００２９】
次に、本発明の光源装置１に用いられる第９の実施形態に係る第１のランプ支持体５を図１１を用いて説明する。
図１１（ａ）は本実施形態の発明に係る第１のランプ支持体５の斜視図、図１１（ｂ）は図１１（ａ）に示した第１のランプ支持体５の正面図、図１１（ｃ）は図１１（ａ）に示したランプ支持部５１をＹ軸の周りに１８０°回転させたときの第１のランプ支持体５の正面である。
これらの図において、５１１７は軸部５１８の水平軸部５１８２の略中間部においてＹ軸方向に伸びるＶ字状に形成された第１のランプ載置部、５１１８は軸部５１８の水平軸部５１８２の端部においてＹ軸方向に伸びるＹ字状に形成された第２のランプ載置部、５１８はＬ字状に形成され、Ｙ軸方向に伸びる垂直軸部５１８１とＸ軸方向に伸びる水平軸部５１８２を有する軸部、５１８１は下端部が位置決め台５１３に固定され上端部がＸ軸方向に折れ曲がる水平軸部５１８２に連なる垂直軸部、５１８２は一端がＹ軸部方向に折れ曲がる垂直軸部５１８１に連らなり略中間部において第１のランプ載置部５１１７を支持し他端において第２のランプ載置部５１１８を支持する水平軸部である。なお、その他の構成は図２に示した同符号の構成に対応するので説明を省略する。
【００３０】
本実施形態の第１のランプ支持体５によれば、図１１（ｂ）に示すように、ランプ支持部５１の位置決め台５１３の突部５１３１が支持台５２の第１の面５２１に係合され、固定手段５３によって位置決め台５１３が支持台５２に固定することによって、位置決め台５１３に固定される軸部５１８に設けられている第１のランプ載置部５１１７においてキセノンランプ２の口金２４１を載置することができ、第１のランプ載置部５１１７はＸ軸方向の第１の位置に配置される。ランプ載置部のＸ軸方向の位置を変えるときは、固定手段５３を取り外し、ランプ支持部５１の軸部５１８を支持する位置決め台５１３をＹ軸の周りに１８０°回転させ、図１１（ｃ）に示すように、位置決め台５１３の突部５１３１が支持台５２の第２の面５２２に係合するように配置し、固定手段５３によって位置決め台５１３を支持台５２に固定する。これによって、第２のランプ載置部５１１８はＸ軸方向の第２の位置に配置されると共に、第２のランプ載置部５１１８に管軸長が短く口金２４１より直径が小さい口金２４２を有するキセノンランプを載置ですることができる。つまり、ランプ支持部５１の軸部５１８はＸ軸方向に伸びる水平軸部５１８２を有しているので、ランプ支持部５１をＹ軸の周りに１８０°回転させることによって、水平軸部５１８２がＸ軸方向において反対方向に向けられ、第１のランプ載置部５１１７に対して第２のランプ載置部５１１８はＸ軸方向にずれた位置に配置され、長さの異なるキセノンランプ２の支持が可能となる。
【００３１】
次に、本発明の光源装置１に用いられる第１０の実施形態に係る第１のランプ支持体５を図１２を用いて説明する。
図１２（ａ）は本実施形態の発明に係る第１のランプ支持体５の斜視図、図１２（ｂ）は図１２（ａ）に示したランプ支持部５５をＺ軸の周りに回転させた状態の第１のランプ支持体５の斜視図、図１２（ｃ）は図１２（ａ）、（ｂ）に示した第１のランプ支持体５のランプ支持部５５の回転動作を示す正面図である。
これらの図において、５５はＶ字状に形成されＶ字部の底部が支持台５２のストッパ台５２９上においてヒンジ５４によって回転自在に支持されるランプ支持部、５２９は上面が凹状に形成され、底部５２９１にランプ支持部５５をＺ軸の周りに回転可能に支持するヒンジ５４を備え、Ｘ軸方向に配置される２個所の突部５２９２、５２９３においてランプ支持部５５と当接させ回転を制限するストッパ台、５２９１はストッパ台５２９上に形成されヒンジ５４が設置される底部、５２９２、５２９３はランプ支持部５５をＸ軸方向に傾斜して配置すると共に当接させて回転を制限するための突部である。
【００３２】
本実施形態の第１のランプ支持体５によれば、図１２（ａ）に示すように、ランプ支持部５５はストッパ台５２９上の一方の突部５２９２に当接しＸ軸方向に傾斜した状態でＸ軸方向の第１の位置に配置される。ランプ支持部５２のＸ軸方向の位置を変えるときは、図１２（ａ）において、ランプ支持部５５をヒンジ５４を中心にＺ軸の周りに、例えば、９０°回転させて、図１２（ｂ）に示すようにランプ支持部５２を傾斜して配置する。これによって、ランプ支持部５５はストッパ台５２９の他方の突部５２９３に当接しＸ軸方向に前記傾斜とは反対方向に傾斜した状態でＸ軸方向の第２の位置に配置される。つまり、初めに傾斜して配置されていたランプ支持部５５をＺ軸の周りに回転させることによって、ランプ支持部５５が前記傾斜とは反対方向に傾斜されＸ軸方向にずれた位置に配置され、長さの異なるキセノンランプ２の支持が可能となる。
【図面の簡単な説明】
【００３３】
【図１】第１の実施形態の発明に係る第１のランプ支持体５を備える光源装置１の構成を示す一部断面正面図である。
【図２】図１に示した本実施形態の発明に係る第１のランプ支持体５の拡大図である。
【図３】図１に示す光源装置１の状態から、第１のランプ支持体５のランプ支持部５１を支持台５２に対してＹ軸の周りに１８０°回転させたときの光源装置１の構成を示す一部断面正面図である。
【図４】第２の実施形態の発明に係る第１のランプ支持体５のランプ載置部５１１１、５１１２の拡大図である。
【図５】第３の実施形態の発明に係る第１のランプ支持体５の拡大図である。
【図６】第４の実施形態の発明に係る第１のランプ支持体５の分解拡大図である。
【図７】第５の実施形態の発明に係る第１のランプ支持体５の分解拡大図である。
【図８】第６の施形態の発明に係る第１のランプ支持体５の拡大図である。
【図９】第７の施形態の発明に係る第１のランプ支持体５の拡大図である。
【図１０】第８の施形態の発明に係る第１のランプ支持体５の拡大図である。
【図１１】第９の施形態の発明に係る第１のランプ支持体５の拡大図である。
【図１２】第１０の施形態の発明に係る第１のランプ支持体５の拡大図である。
【図１３】従来技術に係るキセノンランプ１０１を用いた光源装置１００の一部断面正面図である。
【符号の説明】
【００３４】
１  光源装置
２  キセノンランプ
２１  バルブ
２２  一対の電極
２３  一対の封止部
２４、２５  口金
３、４  反射鏡
５  第１のランプ支持体
５１  ランプ支持部
５１１  ランプ載置部
５１１１  ランプ載置部
５１１２  ランプ載置部
５１１３  第１のランプ載置部
５１１４  第２のランプ載置部
５１１５  第１のランプ載置部
５１１６  第２のランプ載置部
５１１７  第１のランプ載置部
５１１８  第２のランプ載置部
５１２  軸部
５１２１  平坦部
５１２２、５１２３  突部
５１３  位置決め台
５１３１  突部
５１４  軸部
５１５  位置決め台
５１６  軸部
５１６１  水平軸部
５１６２  垂直軸部
５１７  軸部
５１７１  水平軸部
５１７２  垂直軸部
５１８  軸部
５１８１  垂直軸部
５１８２  水平軸部
５２  支持台
５２１  第１の面
５２２  第２の面
５２３  穴部
５２４  止具用穴部
５２５  止具
５２６、５２７  穴部
５２８  ストッパ台
５２９  ストッパ台
５２９１  底部
５２９２、５２９３  突部
５３  固定手段
５４  ヒンジ
５５  ランプ支持部
６  第２のランプ支持体
６１  ランプ支持部
６２  支持台
７  支持板
【図１】
2008305630.tif 000003
【図２】
2008305630.tif 000004
【図３】
2008305630.tif 000005
【図４】
2008305630.tif 000006
【図５】
2008305630.tif 000007
【図６】
2008305630.tif 000008
【図７】
2008305630.tif 000009
【図８】
2008305630.tif 000010
【図９】
2008305630.tif 000011
【図１０】
2008305630.tif 000012
【図１１】
2008305630.tif 000013
【図１２】
2008305630.tif 000014
【図１３】
2008305630.tif 000015